(57)【要約】【課題】その時々で、所望の仏壇等の礼拝家具の画像を容易に作成可能で、仏壇等の礼拝家具の代替として十全に機能を果たす礼拝装置を提供することを目的とする。【解決手段】礼拝家具の画像データ、故人画像データ及び礼拝家具に飾られる装飾具の画像データから選ばれる少なくとも一の画像データ５１及び宗教儀式に関する音声データ５２を記録するデータ記録部５と、ユーザーの操作情報を入力する操作入力部６と、前記データ記録部５から画像データ５１を選択し、選択した画像データ５１を用いて表示用画像データを作成する画像作成部４２と音声データ５２を選択し、選択した音声データ５２を用いて再生用音声データを作成する音声作成部４３備える画像・音声処理部４と、前記表示用画像データを画像として表示する表示部２と、再生用音声データを音声として再生する音声再生部３を備えることを特徴とする仏壇装置１。【選択図】  図１
2007215914.tif 000002
【特許請求の範囲】
【請求項１】
仏壇等の礼拝家具の画像データ、故人の遺影等の故人画像データ及び仏神具を含む礼拝家具に飾られる装飾具の画像データから選ばれる少なくとも一の画像データを記録するデータ記録部と、
ユーザーの操作情報を入力する操作入力部と、
前記操作入力部からの指示に従って、前記データ記録部から画像データを選択、抽出し、抽出した画像データを用いて表示用画像データを作成する画像処理部と、
前記画像処理部により作成された前記表示用画像データを画像として表示する表示部と、
を備えることを特徴とする礼拝装置。
【請求項２】
前記データ記録部には宗教儀式に関する音声データが記録され、
前記操作入力部からの指示に従って、前記データ記録部から音声データを選択し、選択した音声データを用いて再生用音声データを作成する音声処理部を備え、
前記音声処理部により作成された再生用音声データを音声として再生する音声再生部を備えることを特徴とする請求項１記載の礼拝装置。
【発明の詳細な説明】
【技術分野】
【０００１】
本願発明は、礼拝装置に関し、詳しくは、仏壇等の所望の礼拝家具の画像を形成して、出力部に礼拝家具の画像を表示させる礼拝装置に関する。
【背景技術】
【０００２】
旧来から日本人はお墓の他に仏壇或いは神棚等の様々な宗教、宗派用の拝礼家具を住居内に設置し、拝礼家具内に故人の写真、位牌等を納めると共に、お供え物や花を活け、ローソクを灯して線香を焚いて、故人を偲び、ご先祖様、神様を敬っている。しかし、現在の住居状況では、仏壇等の拝礼家具を置くスペースがとれないのが現状であり、又、仏壇等の拝礼家具の形状等の特異性により拝礼家具を住居内の家具として置くことに抵抗を感じている者も少なくない。又、今日の核家族化や世情の変化によりわざわざ高価な拝礼家具を買うことを選択しない家庭も増加している。このような状況により仏壇等の拝礼家具を置く家庭が少なくなってきているのが現状である。
【０００３】
しかし、現代の日本人が、自身の関係する故人を偲び、ご先祖様を敬う気持ちが希薄になっているわけではなく、場所等の状況が許せば、故人を偲び、ご先祖様、神様を敬う場を持ちたいと思っているのが現状である。
【０００４】
そこで、市販のテレビと、記録媒体に記録された神仏事内容に基づいて、市販のテレビで仏壇等の主要部等を映像させると共に、必要に応じて読経等の音声を再生する映像再生装置が収納された経机を取り出し可能に格納したテレビ台とを仏壇等の外観に偽装する仏壇等の代替装置が提案されている（例えば、特許文献１参照。）。
【０００５】
【特許文献１】特開平９−１４９８４８号公報
【発明の開示】
【発明が解決しようとする課題】
【０００６】
しかし、上記従来技術では、記録媒体に記録されているのは、仏壇等の主要部、お経内容の字幕、故人の生前の記録等の映像記録と僧侶による読経等の音声記録からなる仏事内容を、その仏事内容に応じて映像記録及び音声記録を任意に組合わせてパッケージ収録したものであり、具体的には映像再生装置はビデオ装置やレーザーディスク装置であり、記録媒体はビデオテープやレーザーディスクであるので、複数の映像パターンが備わっているものの、予め記録されたパターン以外の映像を再生することは出来なかった。
【０００７】
そのため、仏壇には新たに亡くなった者もおまつりするものなので、その度に新たな映像パターンを作成する必要があり、その作業は煩雑であった。又、季節やお彼岸やお施餓鬼といった行事毎にお供え物、お花、提灯等の飾りを変化させることが出来ず、仏壇等の礼拝家具としても機能を十全には果たすことが出来なかった。又、その外観は仏壇等の礼拝家具の外観に偽装されているので、礼拝家具を住居内に設置することと外観上は変わりなく、住居内の家具として置くことへの抵抗感を減じることが出来ないと共に、住居内に設置された家具に加えて別個に設置する構成部分が必要であるので、設置のために広いスペースが必要であった。
【０００８】
そこで、本願発明は、外観上は礼拝家具の外観を呈することなく、住居内の家具として設置することへの抵抗感を全く生じさせず、広い設置スペースを必要とする新たな家具、電気製品の設置を必要とせず、しかもその時々で、所望の仏壇等の礼拝家具の画像を容易に作成可能で、仏壇等の礼拝家具の代替として十全に機能を果たす礼拝装置を提供することを目的とする。
【課題を解決するための手段】
【０００９】
上記課題を解決するための手段としての本願発明は、仏壇等の礼拝家具の画像データ、故人の遺影等の故人画像データ及び仏神具を含む礼拝家具に飾られる装飾具の画像データから選ばれる少なくとも一の画像データを記録するデータ記録部と、ユーザーの操作情報を入力する操作入力部と、前記操作入力部からの指示に従って、前記データ記録部から画像データを選択、抽出し、抽出した画像データを用いて表示用画像データを作成する画像処理部と、前記画像処理部により作成された前記表示用画像データを画像として表示する表示部と、を備えることを特徴とする礼拝装置である。
【００１０】
更に、上記礼拝装置において、前記データ記録部には宗教儀式に関する音声データが記録され、前記操作入力部からの指示に従って、前記データ記録部から音声データを選択し、選択した音声データを用いて再生用音声データを作成する音声処理部を備え、前記音声処理部により作成された再生用音声データを音声として再生する音声再生部を備えることを特徴とする礼拝装置である。
【発明の効果】
【００１１】
上記のような本願発明によれば、外観上は礼拝家具の外観を呈することなく、住居内の家具として設置することへの抵抗感を全く生じさせず、広い設置スペースを必要とする新たな家具、電気製品の設置を必要とせず、しかもその時々で、所望の仏壇等の礼拝家具の画像を容易に作成可能で、仏壇等の礼拝家具の代替として十全に機能を果たす礼拝装置を提供することが可能となった。又、ユーザーの好みに応じた、宗教儀式に関する音声を出力可能で、礼拝家具の画像と相まって、法事等各種宗教儀式を容易に行うことが出来た。
【発明を実施するための最良の形態】
【００１２】
以下本発明の実施の形態を図に従って詳細に説明する。図１は礼拝装置１の構成を示す概略図であり、礼拝装置１は画像データを画像として表示する表示部２と、音声データを音声として再生する音声出力部３と、画像データ及び音声データに関する各種処理を行う画像・音声処理部４と、画像データ５１及び音声データ５２を記録するデータ記録部５と、ユーザーの操作情報を入力する操作入力部６、記録部９、制御部１０を備えて構成されている。
【００１３】
制御部１０は記録部９に記録されているプログラムを実行することで各部を制御する。記録部９は制御部１０により実行される各種プログラムやデータ等が記録されている。
【００１４】
画像・音声処理部４は画像処理部及び音声処理部を兼ね備えたもので、データ記録部５及び記録部９に記録された画像データ５１、音声データ５２及び設定画面データに対する処理を実行するもので、ユーザーに画像や音声を選択させる選択画面を生成して表示部２において表示させる設定処理部４１、表示部２に表示する画像、即ち表示用画像データを作成する画像作成部４２及び音声出力部３で再生する音声を作成する音声作成部４３を有する。画像・音声処理部４は制御部１０の制御のもとで、操作入力部６を介するユーザーの指示に応じて画像・音声データを出力する。
【００１５】
又、インターフェイスケーブル、ＬＡＮ、イントラネット、インターネット等のネットワーク７１を介して外部装置７２との間で画像データや音声データの転送を行う外部インターフェイス部７を備えてもよい。データ記録部５に記録された画像データ５１には仏壇、神棚、キリスト教用礼拝家具等の礼拝家具、故人の遺影等の故人画像、位牌、仏壇、線香、ローソク、蜀台、お供え物、花、戒名、仏像、マリア様の像、仏画、その他の仏神具を含む礼拝家具に飾られる装飾具の画像データが含まれ、音声データ５２には読経、賛美歌、木魚の音、鐘の音、その他の宗教儀式に関する音声データが含まれる。又、データ記録部５に記録される画像データ５１は礼拝家具、故人画像及び装飾具の画像データを総て含んでもよいが、これらから選択して記録されるものとしてもよく、又、静止画像データでも動画像データでもよい。又、音声データ５２、音声出力部３及び音声作成部４３を備えないで礼拝装置１を構成することとしてもよい。
【００１６】
このような礼拝装置１は図２に示すようなコンピュータを制御するＣＰＵ１１、ＲＯＭやＲＡＭを含んで構成されるメモリ１２、ディスプレイ１３、スピーカー１４、マウス１５及びキーボード１６、ハードディスク１７、磁気テープ、磁気ディスク、光ディスク、光磁気ディスク等の各種情報記録媒体の読み書きの為の媒体読み書き装置１８、外部装置との間でデータの転送を行う通信インターフェイス１９などからなり、バスを介して接続されてなるコンピュータを利用してプログラム（ソフトウエア）により実現することも可能である。
【００１７】
このようなコンピュータを礼拝装置１の構成手段として機能させるためのアプリケーションプログラムやデバイスドライバ等の各種プログラムは、媒体読み書き装置１８又は通信インターフェイス１９を通じて取り込まれてハードディスク１７に蓄積され、必要に応じてハードディスク１７からメモリ１２にロードされ、ＣＰＵ１１により実行される。
【００１８】
尚、ディスプレイ１３及びスピーカー１４として、即ち画像出力部２及び音声出力部３として、テレビジョン受信機を用いることも可能であるし、テレビジョン受信機に上記構成を組み込んで仏壇装置１を構成することも出来る。
【００１９】
図３は礼拝装置１における画像処理の概略の流れを示す図である。制御部１０は操作入力部６を介して入力されたユーザーの操作情報を検出し（Ｓ１０１）、該操作情報に従って画像作成部４２を動作させ、画像作成部４２はデータ記録部５に記録された処理対象の仏壇、神棚、キリスト教用礼拝家具等の礼拝家具、故人の遺影等の故人画像、位牌、仏壇、線香、ローソク、蜀台、お供え物、花、戒名、仏像、仏画、その他の神仏具を含む礼拝家具に飾られる装飾具の画像データ５１から任意の画像データを選択・抽出し（Ｓ１０２）、表示部２に画像として表示する表示用画像データを作成し（Ｓ１０３）、表示部２へ出力し（Ｓ１０４）、表示部２は画像を表示する（Ｓ１０５）。
【００２０】
画像作成部４２は図４に示すように、画像入力手段４２１、画像編集手段４２２、画像出力手段４２３を備えて構成され、データ記録部５に記録されている処理対象の画像データ５１が画像入力手段４２１により抽出され読み込まれる。この画像データ５１は画像編集手段４２２により編集、合成されて、表示用画像データが作成され、該表示用画像データが画像出力手段４２３により表示部２へ送られる。
【００２１】
仏壇の画像が表示された表示部２、ディスプレイ１３の一例を図５に示す。画像表示領域１３０には、仏壇１３１に故人の遺影１３２及び戒名が記載された位牌１３３が収めされ、花１３４が供えられ、お線香１３５が焚かれ、蜀台上でローソク１３６が燈され、お供え物１３７がお供えしてある画像が表示されている。
【００２２】
表示部２に表示される画像はこの例に限定されず、この画像はユーザーの好みに応じて、表示される仏壇１３１、遺影１３２、位牌１３３等の個々の画像を取捨選択することが出来る。勿論遺影１３２、位牌１３３等を複数表示させてもよい。これらの選択は操作入力部６を用いてユーザーが行う。又、この画像は静止画像であってもよいが、お線香１３５の煙が立ち上り、ローソク１３６の炎が揺れるような動画像とすることも出来る。静止画像か動画像かは操作入力部６を用いてユーザーが行う画像データ５１からの選択により決定される。又、遺影１３２は動画像や一定の間隔をおいて変化するスライド様にしてもよい。
【００２３】
図６は仏壇装置１における音声処理の概略の流れを示す図である。制御部１０は操作入力部６を介して入力されたユーザーの操作情報を検出し（Ｓ２０１）、該操作情報に従って音声作成部４３を動作させ、音声作成部４３はデータ記録部５に記録された処理対象の読経、賛美歌、木魚の音、鐘の音、その他の宗教儀式に関する音声データ５２から任意の音声データを選択・抽出し（Ｓ２０２）、音声出力部３に音声として再生する再生用音声データを作成し（Ｓ２０３）、音声再生部３へ出力し（Ｓ２０４）、音声再生部３は音声を再生する（Ｓ２０５）。
【００２４】
音声作成部４３は図７に示すように、音声入力手段４３１、音声編集手段４３２、音声出力手段４３３を備えて構成され、データ記録部５に記録されている処理対象の音声データ５２が音声入力手段４３１により抽出され読み込まれる。この音声データ５１は音声編集手段４３２により編集、合成されて、再生用音声データが作成され、該再生用音声データが音声出力手段４３３により音声出力部３へ送られる。
【００２５】
音声出力部３からはユーザーの好みに応じた、読経、賛美歌、木魚の音、鐘の音、その他の宗教儀式に関する音声が出力され、仏壇等の礼拝家具の画像が表示された表示部２と相まって、法事等宗教儀式を容易に行うことが出来る。
【００２６】
以下詳細に礼拝装置１の処理を図８〜１２を用いて説明する。制御部１０に制御の下に設定処理部４１が図８に示すような画像・音声選択画面６０を生成して表示部２に表示させ、ユーザーの画像及び音声の選択を促す（Ｓ３０１）。画像・音声選択画面６０には選択される画像及び音声が表示された小欄が夫々複数表示された複数の選択項目が表示される。
【００２７】
選択項目としては、様々な宗教、宗派用の拝礼家具を選択する拝礼家具タイプ欄６０１、追悼する人を選択する故人欄６０２、拝礼家具に飾る装飾品等を選択する装飾具欄６０３、流れる音声を選択する音声欄６０４等があり、拝礼家具タイプ欄６０１は仏壇Ａ６０１ａ、仏壇Ｂ６０２ｂ、神棚Ａ６０１ｃ、キリスト教用６０１ｄ等の小欄を備え、故人欄６０２は故人Ａを選択する小欄６０２ａ、故人Ｂを選択する小欄６０２ｂ等の小欄を備え、装飾具欄６０３は位牌を選択する小欄６０３ａ、花Ａを選択する小欄６０１ｂ等の小欄を備え、音声欄６０４は読経を選択する小欄６０４ａ、木魚の音を選択する小欄６０４ｂ、賛美歌を選択する小欄６０４ｃ等を備えている。
【００２８】
ユーザーは操作入力部６を操作して拝礼家具タイプ欄６０１から仏壇Ａを選択する小欄６０１ａ、仏壇Ｂを選択する小欄６０１ｂ…等の小欄から所望の仏壇タイプを選択し、故人欄６０２から故人Ａを選択する小欄６０２ａ、故人Ｂを選択する小欄６０２ｂ…等の小欄から仏壇に祭る故人を選択し、仏具欄６０３から位牌を選択する小欄６０３ａ、花Ａを選択する小欄６０１ｂ、花Ｂを選択する小欄６０１ｃ…等の小欄から拝礼家具に飾る神仏具等の装飾品を選択すると共に、音声欄６０４から読経を選択する小欄６０４ａ、木魚の音を選択する小欄６０４ｂ…等の小欄から再生する音声を選択する。これらの各選択項目毎に不要欄６００ｎが夫々設けられ、該不要欄６００ｎが選択された場合にはその選択項目に列記された画像は表示部２に表示されず或いは音声は音声出力部３で再生されない。これらの選択は礼拝家具欄６０１を除いて各選択項目毎に複数の小欄を選択をすることを可能としている。尚、例えば仏壇Ａを選択する欄６０１ａ、仏壇Ｂを選択する欄６０１ｂ等の小欄には文字を表示するのではなく、或いは文字と共に当該画像が表示されるプレビューウィンドウを設けてもよい。
【００２９】
選択が完了したユーザによる完了ボタン６０６の指定により、制御部１０が該指定を検出し（Ｓ３０２）、制御部１０の制御により画像処理部４２が上述の画像処理の流れに従い処理を行い表示用画像データを作成する（Ｓ３０３）と共に、設定処理部４１は図９に示すような画像・音声確認画面７０を生成して表示部２に表示させて、ユーザーの確認を要求する（Ｓ３０４）。画像・音声確認画面７０には画像・音声選択画面６０で選択された画像が表示されたプレビューウィンドウ７０１、選択された音声の種類が文字表示された音声表示部７０２が表示され、ユーザーの確認を促す。ユーザーは内容を確認してよければＯＫボタン７０３を指定し、変更があればＮＯボタン７０４を指定する。
【００３０】
ユーザーの指示を制御部１０が検出し（Ｓ３０５）、ユーザーの指示を判断する（Ｓ３０６）。ＯＫボタン７０３の指定により、該指定を検出した制御部１０の制御により、画像が画像出力手段４２３によって表示部２へ出力され、プレビューウィンドウ７０１に表示された画像そのままが図５に示すように表示部２に表示されると共に、音声作成部４３は上述の音声処理の流れに従い処理を行い、音声出力手段４３３により音声出力部３へ出力され、ユーザーにより選択された音声が音声出力部３で音声が再生される（Ｓ３０７）。
【００３１】
ＮＯボタン７０４の指定により、該指定を検出した制御部１０の制御により、設定処理部４１は図１０に示す変更指示画面８０を生成し、表示部２に表示させて、ユーザーの指示を要求する（Ｓ３０８）。変更指示画面８０には、画像・音声の種類の変更を指示する画像・音声変更ボタン８０１、画像のレイアウトの変更を指示するレイアウト変更ボタン８０２が表示され、ユーザーは画像・音声を変更する場合には画像・音声変更ボタン８０１を指定し、画像のレイアウトを変更したい場合にはレイアウト変更ボタン８０２を指定する。ユーザーの指示を制御部１０が検出し（Ｓ３０９）、ユーザーの指示を判断する（Ｓ３１０）。
【００３２】
画像・音声変更ボタン８０１の指定により、該指定を検出した制御部１０の制御により、設定処理部４１は図８に示すような画像・音声選択画面６０を生成し、表示部２に再表示させ、ユーザーの再選択を促す（Ｓ３０１）。レイアウト変更ボタン８０２の指定により、該指定を検出した制御部１０の制御により、設定処理部４１は図１１に示すようなレイアウト変更画面９０を生成し、表示部２に表示させて、ユーザーにレイアウトの変更を要求する（Ｓ３１１）。レイアウト変更画面９０にはユーザーがレイアウトの変更操作を行うレイアウト画面９０１が表示され、ユーザーにレイアウト変更を要求し、ユーザーはレイアウト変更希望画像、例えば花の画像を指定し、ドラッグ等により位置の変更を指定し、ユーザーは画像のレイアウトが決定したら、決定ボタン９０２を指定し、画像の内容を変えたい場合には戻るボタン９０３を指定する。制御部１０はユーザーの指示を検出し（Ｓ３１２）、ユーザーの指示を判断する（Ｓ３１３）。
【００３３】
決定ボタン９０２の指定を検出した制御部１０の制御により、画像編集手段４２２は画像レイアウトを変更し、選択された画像が画像出力手段４２３により表示部２へ出力され、表示部２には図５に示す表示がなされると共に、音声出力手段４３３により選択された音声が音声再生部３へ出力されて音声再生部３で音声が再生される（Ｓ３０７）。戻るボタン９０３の指定により設定処理部４１は図１０に示す変更指示画面８０を生成し、表示部２に再表示させて、ユーザーの指示を要求する（Ｓ３０８）。
【図面の簡単な説明】
【００３４】
【図１】本発明一実施例の構成を示す概略図
【図２】本発明仏壇装置をソフトウエアにより実現する為のコンピュータの構成の一例を示すブロック図
【図３】本発明一実施例の画像処理の流れを示す図
【図４】本発明一実施例の画像作成部における画像処理及びそれに関わる構成説明図
【図５】画像が表示された表示部の一例を示す図
【図６】本発明一実施例の音声作成部における音声処理の流れを示す図
【図７】本発明一実施例の音声処理及びそれに関わる構成説明図
【図８】本発明一実施例表示部に表示された画像・音声選択画面を示す図
【図９】本発明一実施例表示部に表示された画像・音声確認画面を示す図
【図１０】本発明一実施例表示部に表示された変更指示画面を示す図
【図１１】本発明一実施例表示部に表示されたレイアウト変更画面を示す図
【図１２】本発明一実施例画像・音声処理部の処理の流れを示す図
【符号の説明】
【００３５】
１    礼拝装置
２    表示部
３    音声出力部
４    画像・音声処理部
４１  設定処理部
４２  画像作成部
４３  音声作成部
５    データ記録部
５１  画像データ
５２  音声データ
６    操作入力部
７    外部インターフェイス部
８    ネットワーク
９    記録部
１０  制御部      
【図１】
2007215914.tif 000003
【図２】
2007215914.tif 000004
【図３】
2007215914.tif 000005
【図４】
2007215914.tif 000006
【図５】
2007215914.tif 000007
【図６】
2007215914.tif 000008
【図７】
2007215914.tif 000009
【図８】
2007215914.tif 000010
【図９】
2007215914.tif 000011
【図１０】
2007215914.tif 000012
【図１１】
2007215914.tif 000013
【図１２】
2007215914.tif 000014